(57)【要約】【課題】簡単な操作で警報音鳴動停止中の状態に移行することのできる警報器を得る。また、警報音鳴動停止中であることをユーザに知らせることのできる警報器を得る。【解決手段】火災検出時に警報音鳴動及び表示灯７２の異常表示による異常報知を行い、このときに警報音を停止させる警報音停止スイッチ４が操作されると、警報音鳴動を所定期間停止する警報器であって、表示灯７２は、警報音鳴動中には、所定周期で点滅表示し、警報音鳴動停止中には、周期毎の点灯時間ａが警報音鳴動中の周期毎の点灯時間よりも短くなるようにして点滅表示する。【選択図】図３
2011175416.tif 000002
【特許請求の範囲】
【請求項１】
異常発生時に警報音鳴動及び表示灯の異常表示による異常報知を行い、
このときに警報音を停止させる警報音停止スイッチが操作されると、警報音鳴動を所定期間停止する警報器であって、
前記表示灯は、
警報音鳴動中には、所定周期で点滅表示し、
警報音鳴動停止中には、周期毎の点灯時間が前記警報音鳴動中の周期毎の点灯時間よりも短くなるようにして点滅表示する
ことを特徴とする警報器。
【請求項２】
異常発生時に警報音鳴動及び表示灯の異常表示による異常報知を行い、
このときに警報音を停止させる警報音停止スイッチが操作されると、警報音鳴動を所定期間停止する警報器であって、
前記表示灯は、
警報音鳴動停止中には、周期毎の点灯時間が消灯時間よりも短くなるようにして点滅表示する
ことを特徴とする警報器。
【請求項３】
異常発生時に警報音鳴動及び表示灯の異常表示による異常報知を行い、
このときに警報音を停止させる警報音停止スイッチが操作されると、警報音鳴動を所定期間停止する警報器であって、
前記表示灯は、
警報音鳴動中には、所定周期で点滅表示し、
警報音鳴動停止中には、警報音鳴動中の前記所定周期よりも長い周期で点滅表示する
ことを特徴とする警報器。
【発明の詳細な説明】
【技術分野】
【０００１】
本発明は、異常や火災が発生したときに警報音及び表示灯により異常報知を行う警報器に関し、特に警報音鳴動停止中において表示灯の表示形態を変化させる警報器に関する。
【背景技術】
【０００２】
従来、火災などの異常を検知したときに警報音を鳴動して異常報知を行う警報器が存在する。そして、異常報知を行っているときに例えば警報器の筐体表面に設けられたスイッチを操作して警報停止指示がなされると、警報音の鳴動を所定期間停止する警報器がある。なお、以降の説明において、この警報音の鳴動が停止された状態を警報音鳴動停止中と称する。
このような警報器として、「警報中に停止信号が１回発信されることで警報が短時間停止する短時間モードと、同警報中で所定の時間内に停止信号が複数回発信されることで警報が長時間停止する長時間モードとを設けた」火災警報器が提案されている（例えば、特許文献１参照）。
【先行技術文献】
【特許文献】
【０００３】
【特許文献１】特開２００３−３０８５７７号公報（第２頁、第３頁、図３）
【発明の概要】
【発明が解決しようとする課題】
【０００４】
上記特許文献１では、必要以上に警報を発しないようにすることを目的として、停止信号が複数回発信された場合には警報音の鳴動を長時間停止するようにしている。
しかし、停止信号を複数回発信するためには、ユーザは警報停止スイッチを複数回操作する必要があり、手間がかかっていた。また、警報停止スイッチを操作したユーザがその場を離れると、他のユーザは警報音鳴動停止中であることを認識できないため、他のユーザは警報音が鳴動しないことを機器の不具合であると誤解するおそれがあった。
【０００５】
本発明は、上記のような課題を解決するためになされたものであり、簡単な操作で警報音鳴動停止中の状態に移行することのできる警報器を提供するものである。また、警報音鳴動停止中であることをユーザに知らせることのできる警報器を提供するものである。
【課題を解決するための手段】
【０００６】
本発明に係る警報器は、異常発生時に警報音鳴動及び表示灯の異常表示による異常報知を行い、このときに警報音を停止させる警報音停止スイッチが操作されると、警報音鳴動を所定期間停止する警報器であって、前記表示灯は、警報音鳴動中には、所定周期で点滅表示し、警報音鳴動停止中には、周期毎の点灯時間が前記警報音鳴動中の周期毎の点灯時間よりも短くなるようにして点滅表示するものである。
【０００７】
本発明に係る警報器は、異常発生時に警報音鳴動及び表示灯の異常表示による異常報知を行い、このときに警報音を停止させる警報音停止スイッチが操作されると、警報音鳴動を所定期間停止する警報器であって、前記表示灯は、警報音鳴動停止中には、周期毎の点灯時間が消灯時間よりも短くなるようにして点滅表示するものである。
【０００８】
本発明に係る警報器は、異常発生時に警報音鳴動及び表示灯の異常表示による異常報知を行い、このときに警報音を停止させる警報音停止スイッチが操作されると、警報音鳴動を所定期間停止する警報器であって、前記表示灯は、警報音鳴動中には、所定周期で点滅表示し、警報音鳴動停止中には、警報音鳴動中の前記所定周期よりも長い周期で点滅表示するものである。
【発明の効果】
【０００９】
本発明によれば、警報音鳴動中に警報音停止指示がなされると、警報音の鳴動を所定期間停止するので、ユーザは何度も警報音停止の指示操作を行う必要がない。
また、表示灯は、警報音鳴動停止中には、周期毎の点灯時間が前記警報音鳴動中の周期毎の点灯時間よりも短くなるようにして点滅表示するようにした。警報音鳴動中と警報音鳴動停止中とで異なる点滅表示を行うので、警報音鳴動停止中であることをユーザに知らせることができる。また、警報音鳴動停止中は、警報音鳴動中よりも表示灯の点滅表示の電力消費量を低減できる。
【００１０】
また、表示灯は、警報音鳴動停止中には、周期毎の点灯時間が消灯時間よりも短くなるようにして点滅表示するようにした。このため、警報音鳴動停止中における表示灯の点滅表示の電力消費量を低減できる。
【００１１】
また、表示灯は、警報音鳴動停止中には、警報音鳴動中の点滅周期よりも長い周期で点滅表示するようにした。警報音鳴動中と警報音鳴動停止中とで異なる点滅表示を行うので、警報音鳴動停止中であることをユーザに知らせることができる。
【図面の簡単な説明】
【００１２】
【図１】実施の形態に係る火災警報器の機能ブロック図である。
【図２】実施の形態に係る制御部の内部構成を示すブロック図である。
【図３】実施の形態に係る火災警報器の火災監視処理を説明するフローチャートである。
【発明を実施するための形態】
【００１３】
実施の形態．
以下、本実施の形態では、電池で駆動される火災警報器に本発明を適用した場合を例に説明する。
図１は、本発明の実施の形態に係る火災警報器１００の回路構成を示す機能ブロック図である。この火災警報器１００は、機器異常や火災等の異常が発生したときに、警報音及び表示によって異常報知を行い、異常報知中に警報音の鳴動を停止させる警報音停止スイッチが操作されると、所定期間警報音の鳴動停止を行うものである。そして、警報音鳴動停止中においては、警報音鳴動中とは異なる表示を行うものである。
【００１４】
図１において、火災警報器１００は、電池１と、点検スイッチ３と、警報音停止スイッチ４と、集積回路１０と、熱検知部４０と、煙検知部５０と、警報音制御回路６０と、表示灯回路７０とを備える。
集積回路１０は、制御部１１と、定電圧回路１２と、リセット部１３と、発振部１４と、電圧検出回路１５とを含んでいる。
【００１５】
電池１は、火災警報器１００に電源を供給する電源部である。なお、電池の個数や種類を特に限定するものではない。また、火災警報器１００への電源供給手段は電池に限定するものではなく、例えば、商用電源から電源を供給してもよい。この場合は、商用電源から供給される交流電源を整流して直流電源に変換する整流回路を設けるとよい。
【００１６】
定電圧回路１２は、電池１の電源電圧を所定の定電圧電源（例えば、約２．３Ｖの電圧）として制御部１１等に供給する。
【００１７】
リセット部１３は、電源投入時に制御部１１をリセット状態にし、所定時間後にリセット状態を解除して動作可能な初期状態にさせる。また、制御部１１に印加される電圧が制御部１１の動作保証電圧より小さくなった場合に、制御部１１をリセット状態にする。
発振部１４は、制御部１１に対してクロック信号を供給する。
【００１８】
電圧検出回路１５は、印加される電圧を検出し、検出した電圧に応じた電圧検出信号を制御部１１に出力する。電圧検出回路１５の入力側は電池１に接続されており、電池１により印加される電圧を検出することができるものである。なお、火災警報器１００が商用電源からの電源供給で動作する場合には、電圧検出回路１５を設けなくともよい。
【００１９】
点検スイッチ３は、居住者等のユーザによる押下操作を受け付け、点検機構を動作させるためのスイッチである。点検スイッチ３が押下されると、制御部１１は点検スイッチ３の押下信号を取り込み、そして点検スイッチ３の入力が確定したか否かを判断する。制御部１１が、点検スイッチ３の入力が確定したと判断した場合、制御部１１から警報音や表示灯などの動作に関する点検を開始させる信号が送信される。
【００２０】
警報音停止スイッチ４は、警報音の鳴動を停止させるためのスイッチである。この警報音停止スイッチ４は、火災警報器１００の筐体表面に設けられており、居住者等のユーザからの操作を受け付けてオンする。
なお、点検スイッチ３と警報音停止スイッチ４とを１つのスイッチとして設けてもよく、別体のスイッチとして設けてもよい。１つのスイッチとして設ける場合には、異常や火災が発生していないときには点検スイッチとして機能させ、異常や火災が発生しているときには警報音停止スイッチとして機能させるとよい。別体のスイッチとして設ける場合には、いずれのスイッチであるかが容易に識別できるようにしておくとよい。また、点検スイッチと警報音停止スイッチとを１つのスイッチとして設けるかどうかは、火災警報器１００の形状や大きさ等の仕様によって決定するとよい。
【００２１】
熱検知部４０は、固定抵抗４１と、サーミスタ４２による温度センサで構成されている。固定抵抗４１とサーミスタ４２との間の中間電位が熱検知部４０の出力端子であり、その出力端子を介して温度検出信号を制御部１１に送信している。サーミスタ４２は、環境温度に応じてその抵抗値が変動する温度特性を有する。補償用の固定抵抗４１によりサーミスタ４２の温度特性がリニア化されるため、出力端子には環境温度に応じた検出電圧（温度情報）が入力される。
【００２２】
煙検知部５０は、発光素子である赤外ＬＥＤ５４と、制御部１１からの発光制御パルスを受けたときに、赤外ＬＥＤ５４に電流パルスを供給する赤外ＬＥＤドライブ回路５１とを備えている。さらに煙検知部５０は、赤外ＬＥＤ５４から光学台内部に照射された光が煙粒子によって生じさせる散乱光を受光するフォトダイオード（ＰＤ）等の受光素子（図示せず）を備えており、赤外ＬＥＤ５４の発光による散乱光を受光する。そして、フォトダイオード電流電圧変換回路５２（図１ではＰＤ［Ｉ−Ｖ］変換回路と記載）において、フォトダイオードで受光した散乱光の量に基づいて得られた電流を電圧に変換する。その電圧の出力レベルを、受光アンプ５３において所定のゲインで増幅し、制御部１１に送信する。
【００２３】
警報音制御回路６０は、ローパスフィルタを備えた音声用Ｄ／Ａ変換器６１（図１では音声用ＤＡＣ＆ＬＰＦと記載）と、発音部品としての音声アンプ６２及びスピーカ６３とで構成される。ローパスフィルタは、制御部１１から送信された音声データを、予めユーザが聴き取りやすい周波数帯域に調整する役割を果たす。
【００２４】
警報音制御回路６０において、制御部１１から入力された音声データ（デジタル信号）は、音声用Ｄ／Ａ変換器６１で音声信号（アナログ信号）に変換され、ローパスフィルタを介して出力される。そして、制御部１１から音量制御信号が音声アンプ６２に送信され、音声アンプ６２で音声信号（アナログ信号）の増幅度が調整される。スピーカ６３では、音声アンプ６２で増幅された音声信号が出力される。
【００２５】
表示灯回路７０は、火災警報器１００の状態を、確認灯ドライブ回路７１に接続されている表示灯７２に表示させるものである。表示灯７２としては、例えば、赤色ＬＥＤなどを用いることができる。なお、火災警報器１００の状態として、正常に火災検出動作している場合（火災を検出しておらず、電池残量やセンサ機器等にも異常が無い状態）の他、電池残量の低下による異常や、センサの故障等の機器による異常が発生している場合、火災を検出して警報出力している場合等がある。表示灯７２は、火災警報器１００の筐体に設けられている。なお、表示灯７２の種類や個数を特に限定するものではない。
【００２６】
この表示灯７２は、火災警報器１００が正常に動作している状態（通電状態）を表示する通電表示灯としての機能や、火災警報器１００に異常が発生している状態を表示する異常表示灯としての機能、火災警報器１００が火災を検出した状態を表示する火災表示灯としての機能を有している。そして、本実施の形態では、異常表示灯や火災表示灯として機能している場合において、警報音鳴動中と、警報音鳴動停止中とで、表示灯７２の点滅間隔を異なるものとすることを特徴としている。
【００２７】
表示灯７２が通電表示灯として機能する場合には、警報音鳴動停止中であれば、表示灯７２を消灯状態にする。
表示灯７２が異常表示灯若しくは火災表示灯として機能する場合であって警報音鳴動中であれば、所定の点滅周期で表示灯７２を点滅表示させる。
表示灯７２が異常表示灯若しくは火災表示灯として機能する場合であって警報音鳴動停止中であれば、警報音鳴動中よりも点滅周期毎に点灯時間ａ、消灯時間ｂとなるようにして表示灯７２を点滅表示させる。なお、表示灯７２の点滅表示動作の詳細については後述する。
【００２８】
制御部１１は、火災警報器１００の全体的な制御を行うものであり、各内部回路からの信号を定期的に取り込み、その信号に応じた処理を行う。例えば、制御部１１が煙検知部５０の受光アンプ５３からの信号（火災検出信号）を取り込んだ場合、この火災検出信号に基づいて警報鳴動が必要か否かを判断する。制御部１１が火災検出信号を取り込み、警報鳴動が必要であると判断した場合には、制御部１１は警報鳴動の音声データを警報音制御回路６０に出力する。
また、制御部１１は、電圧検出回路１５からの電圧検出信号に基づいて、電池１の残量が低下しているかどうかを判断する。
【００２９】
図２は、制御部１１の内部構成を示すブロック図である。制御部１１は、火災警報器１００の動作を統括制御する演算部１１１と、ＲＯＭ１１２と、ＲＡＭ１１３とを主要な回路として備えている。演算部１１１は、上述した各回路から送信される各種信号に基づいて、異常の発生や火災の発生を判断する異常監視動作や火災監視動作を実行するようになっている。
【００３０】
ＲＯＭ１１２は、演算部１１１が実行するプログラムや各種固定データを記憶している。ＲＡＭ１１３は、演算部１１１がプログラムを実行する際に各種データを一時的に格納するワークメモリやページメモリ等のメモリとして機能する。このＲＡＭ１１３には、図３にて説明する火災確定フラグや警報音停止フラグが格納される。
なお、演算部１１１は、ＣＰＵ（Ｃｅｎｔｒａｌ  Ｐｒｏｃｅｓｓｉｎｇ  Ｕｎｉｔ：中央演算装置）やＭＰＵ（Ｍｉｃｒｏ  Ｐｒｏｃｅｓｓｉｎｇ  Ｕｎｉｔ：超小型演算処理装置）等で構成するとよい。
【００３１】
演算部１１１には、バスを介して、タイマ部１１４と、Ａ／Ｄ変換器１１５と、メインクロック発振部１１６と、サブクロック発振部１１７と、インターフェース部１１８とが接続されている。
タイマ部１１４は、時間を計測するものである。例えば、タイマ部１１４は、制御回路１１が定期的に行う異常監視動作や火災監視動作の開始タイミングを計時するようになっている。つまり、タイマ部１１４の計時するタイミングで定期的に割り込みが発生し、その割り込みによって演算部１１１が動作するようになっている。また、タイマ部１１４は、警報音の鳴動を停止したときからの時間を計測したり、表示灯７２の点滅時の点灯時間及び消灯時間を計測したりするようになっている。
【００３２】
Ａ／Ｄ変換部１１５は、煙検知部５０の受光アンプ５３や熱検知部４０、電圧検出回路１５等から送信されるアナログ信号を、デジタル信号に変換して演算部１１１に供給する。そして、演算部１１１は、このデジタル信号に基づいて、火災警報器１００に異常が発生しているか、火災が発生しているか、電池切れ状態か、等を判断するようになっている。
【００３３】
メインクロック発振部１１６は、発振部１４から入力されるクロックを逓倍して演算部１１１に供給する。メインクロック発振部１１６からのクロック信号が供給されている演算部１１１は、各回路からのデータ、例えば火災検出データや、電池電圧データ、電源電圧監視データ等を収集し、これらのデータに基づいて、異常の発生の有無や火災の発生の有無を判断する異常監視動作や火災監視動作を実行する。
【００３４】
サブクロック発振部１１７は、メインクロック発振部１１６が供給するクロック信号よりも周波数の低いクロック信号を演算部１１１に供給する。サブクロック発振部１１７からのクロック信号の供給を受けると、演算部１１１は低速で動作（スリープモード）する。
演算部１１１は、異常監視動作や火災監視動作を終了すると、メインクロック発振部１１６からのクロック信号の供給を、サブクロック発振部１１７からのクロック信号の供給に切り替えて、スリープモードで動作するようになっている。
【００３５】
インターフェース部１１８は、火災警報器１００を構成している各回路と制御部１１とを接続する機能を有している。つまり、火災警報器１００を構成している各回路は、インターフェース部１１８を介して制御部１１と接続され、各種データの入出力を行うようになっている。なお、アナログ信号の入出力は、Ａ／Ｄ変換器１１５を経由して行う。
【００３６】
次に、火災警報器１００の火災検出動作について説明する。ここでは、煙を検出して火災発生の有無を判断する火災監視動作を例に説明する。
火災警報器１００は、電池１から供給される電源電圧を定電圧回路１２によって安定した所定の定電圧（例えば、約２．３Ｖの電圧）にし、制御部１１等には定電圧電源が供給される。火災警報器１００は、制御部１１が有するタイマ部１１４が計時している所定の周期で火災監視動作を実行する。
【００３７】
火災監視動作は、具体的にはまず、制御部１１は、サブクロック発振部１１７からのクロック信号の供給をメインクロック発振部１１６からのクロック信号の供給に切り替える。次に、制御部１１は、赤外ＬＥＤドライブ回路５１に発光制御パルスを供給し、所定のパルス幅及び所定の周期で赤外ＬＥＤ５４を発光させる。
【００３８】
煙検知部５０におけるフォトダイオードは、赤外ＬＥＤ５４の光路上には配置されておらず、赤外ＬＥＤ５４の光が直接フォトダイオードに到達することはない。しかし、火災等により発生した煙が、フォトダイオードと赤外ＬＥＤ５４との間に介在すると、煙の粒子により赤外ＬＥＤ５４の光が散乱され、その散乱された光をフォトダイオードが受光することになる。そして、フォトダイオードが受光した光に基づく信号が受光アンプ５３にて増幅され、制御部１１に入力される。
【００３９】
制御部１１内では、まず、受光アンプ５３で増幅されたアナログ信号がＡ／Ｄ変換部１１５でデジタル信号に変換されて演算部１１１に入力される。演算部１１１は、入力されたデジタル信号を火災検出データとしてＲＡＭ１１３に格納する。そして、演算部１１１は、ＲＡＭ１１３に格納した火災検出データが、予め設定されている所定の基準値以上であるかどうかによって火災発生の有無を判断する。
【００４０】
煙が発生していない場合は、フォトダイオードには赤外ＬＥＤ５４が発光した光がほとんど到達しないため、受光アンプ５３で増幅された信号は、所定の基準値（火災発生レベル）未満となり、制御部１１は火災が発生していないと判断する。この場合、制御部１１は、警報音制御回路６０及び表示灯回路７０を動作させる信号を出力しない。したがって、警報音制御回路６０では音声警報が鳴動せず、表示灯回路７０では表示灯７２に火災が発生していることを表示させることはない。そして、制御部１１が火災の発生ではないと判断したときは、スリープモードの動作状態に復帰する。
【００４１】
煙が発生している場合には、赤外ＬＥＤ５４により発光された光が、煙の粒子により散乱され、その散乱した光がフォトダイオードに到達する。つまり、受光アンプ５３で増幅された信号は、所定の基準値以上となり、制御部１１は火災が発生していると判断する。この場合、制御部１１は警報音制御回路６０及び表示灯回路７０を動作させる信号を出力する。すると、警報音制御回路６０は警報音を鳴動し、表示灯回路７０は表示灯７２に火災表示させる。
【００４２】
次に、本実施の形態の特徴部分である表示灯７２の表示動作について説明する。
図３は、火災警報器１００の火災監視処理を説明するフローチャートである。
【００４３】
火災警報器１００は、火災監視動作の検出タイミングが到来するまでは、待機状態（スリープモード）である（ステップＳ１０１；Ｎｏ）。この火災監視動作は、タイマ部１１４が計時している所定のタイミングで開始される（ステップＳ１０１；Ｙｅｓ）。つまり、タイマ部１１４が計時する所定の周期タイミングで割り込みが実行されて、火災監視動作を開始するようになっている。火災監視動作を開始すると、制御部１１の演算部１１１は、サブクロック発振部１１７からのクロック信号の供給をメインクロック発振部１１６からのクロック信号の供給に切り替える。
【００４４】
演算部１１１は、火災警報器１００を構成する受光アンプ５３から火災検出データを取得し（Ｓ１０２）、この火災検出データを予め設定されている所定の基準値と比較することで、火災の検出を行う（Ｓ１０３）。火災が発生していないと判断したときは（Ｓ１０３；Ｎｏ）、演算部１１１は、火災確定フラグをクリアする（Ｓ１０４）。なお、ステップＳ１０４において「火災確定フラグをクリアする」とは、火災確定フラグをクリアの状態のままとすることを含む。火災が発生していると判断したときは（Ｓ１０３；Ｙｅｓ）、演算部１１１は、火災確定フラグをセットする（Ｓ１０５）。なお、ステップＳ１０５において「火災確定フラグをセットする」とは、火災確定フラグをセットの状態のままとすることを含む。
【００４５】
次に、演算部１１１は、警報音鳴動停止中であるか否か判断する（Ｓ１０６）。警報音鳴動停止中であるか否かの判断は、後述する警報音停止フラグ（Ｓ１１１、Ｓ１１６参照）がセットされているか否かにより行う。警報音鳴動停止中でない場合、すなわち警報音停止スイッチ４がオフ状態である場合には（Ｓ１０６；Ｎｏ）、火災確定中であるか否か判断する（Ｓ１０７）。火災確定中であるか否かの判断は、火災確定フラグがセットされているか否かにより行う。火災確定中でなければ（Ｓ１０７；Ｎｏ）、次回の検出タイミングが到来するまで待機する。
火災確定中であれば（Ｓ１０７；Ｙｅｓ）、火災警報処理を行う（Ｓ１０８）。具体的には、制御部１１は警報音制御回路６０を駆動してスピーカ６３から火災を示す警報音を出力させるとともに、表示灯回路７０を駆動して表示灯７２を点灯時間０．５秒、消灯時間０．５秒の点滅周期で点滅表示させる。なお、本実施の形態では表示灯７２の点滅表示において点灯時間と消灯時間とが等しいが、両者を異なる時間としてもよく、また、点灯時間と消灯時間を０．５秒に限定するものではない。
【００４６】
続けて、警報音停止スイッチ４が操作されてオンしているかどうか判断する（Ｓ１０９）。警報音停止スイッチ４がオンしていない場合、すなわち警報音が鳴動中である場合には（Ｓ１０９；Ｎｏ）、次回の検出タイミングが到来するまで待機する。つまり、警報音停止スイッチ４がオン操作されていない場合には、警報音の鳴動を継続するのである。
警報音停止スイッチ４が操作されてオンした場合には（Ｓ１０９；Ｙｅｓ）、制御部１１は警報音制御回路６０に警報音の鳴動を停止させる（Ｓ１１０）。続けて、演算部１１１は警報音停止フラグをセットし（Ｓ１１１）、タイマ部１１４により５分のカウントを開始して（Ｓ１１２）、次回の検出タイミングが到来するまで待機する。なお、ステップＳ１１２でカウントを開始する５分間という時間は、警報音鳴動停止中の状態を維持する時間であり、任意に定めることができる。
【００４７】
また、警報音鳴動停止中であると判断された場合、すなわち火災が検出された後に警報音停止スイッチ４がオン操作されて警報音の鳴動を停止している場合には（Ｓ１０６；Ｙｅｓ）、警報音鳴動停止中の警報処理を行う（Ｓ１１３）。具体的には、制御部１１は表示灯回路７０を駆動して、表示灯７２を点灯時間ａ秒、消灯時間ｂ秒の点滅周期により点滅表示させる。ここで、警報音鳴動停止中の点滅周期毎の点灯時間ａは、警報音鳴動中の点滅周期毎の点灯時間（本実施の形態では０．５秒）よりも短いものとする。また、警報音鳴動停止中の点滅周期毎の点灯時間ａは、消灯時間ｂより短いものとする。また、本実施の形態において警報音鳴動停止中の表示灯７２の点滅周期（点灯時間ａと消灯時間ｂとを足し合わせた時間）は、警報音鳴動中の表示灯７２の点滅周期（本実施の形態では点灯時間０．５秒＋消灯時間０．５秒＝１秒）より長いものとする。警報音鳴動停止中の点滅状態は任意に設定できる。
【００４８】
続けて、５分カウンタをインクリメントし（Ｓ１１４）、５分カウンタがカウントアップしたか否かによって警報音停止スイッチ４がオンされてから５分が経過したか否か判断する（Ｓ１１５）。そして、５分が経過していなければ（Ｓ１１５；Ｎｏ）、次回の検出タイミングが到来するまで待機する。すなわち、警報音停止スイッチ４がオンされてから５分を経過するまでは、警報音鳴動停止中の警報処理を継続する。
５分が経過すると（Ｓ１１５；Ｙｅｓ）、警報音停止フラグをクリアして（Ｓ１１６）、次回の検出タイミングが到来するまで待機する。なお、警報音鳴動停止中の状態が終了したいずれかのタイミングで、警報音停止スイッチ４をオフ状態としておく。
【００４９】
以上のような火災監視処理により、火災を検出すると警報音鳴動と表示灯７２の点滅により火災を報知し、警報音停止スイッチ４がオンされると、警報音鳴動を停止して点灯時間ａ、消灯時間ｂの点滅周期で表示灯７２を点滅表示する、という動作が実現される。
また、警報音鳴動停止中の状態が所定時間（図３の例では５分）経過した後は、次回の検出タイミングで再び火災を検出すると、警報音鳴動と表示灯７２の点滅により火災を報知する。
【００５０】
このように、本実施の形態に係る火災警報器１００によれば、警報音鳴動中に警報音の鳴動を停止させるには、ユーザは警報音停止スイッチ４を一度操作すればよい。簡単な操作で警報音鳴動停止中の状態に移行できるので、ユーザの操作負担を軽減できる。
また、警報音鳴動停止中においては、表示灯７２の点滅の点灯時間と消灯時間を、警報音鳴動中とは異なるものとしているので、ユーザに警報音鳴動停止中であることを知らせることができる。
【００５１】
また、警報音鳴動停止中の点滅周期毎の点灯時間ａは、警報音鳴動中の点滅周期毎の点灯時間（本実施の形態では０．５秒）よりも短いものとした。このため、警報音鳴動停止中における表示灯７２の電力消費量を、警報音鳴動中の表示灯７２の電力消費量よりも少なくすることができる。
また、警報音鳴動停止中には、表示灯７２の点滅周期毎の点灯時間ａが消灯時間ｂより短くなるようにして点滅させるので、警報音鳴動停止中における電力消費量を低減することができる。
また、警報音鳴動停止中の表示灯７２の点滅周期（点灯時間ａと消灯時間ｂとを足し合わせた時間）は、警報音鳴動中の表示灯７２の点滅周期よりも長いものとした。このため、警報音鳴動停止中における表示灯７２の電力消費量を、警報音鳴動中の表示灯７２の電力消費量よりも更に低減できる。また、警報音鳴動停止中と警報音鳴動中とで異なる点滅周期で表示灯７２を点滅させるので、警報音鳴動停止中であることをユーザに知らせることができる。
【００５２】
なお、本実施の形態では、警報音鳴動停止中の表示灯７２の点滅表示は、点滅周期毎の点灯時間ａが警報音鳴動中の周期毎の点灯時間よりも短く、かつ、点滅周期毎の点灯時間ａは消灯時間ｂより短く、かつ、警報音鳴動中の点滅周期よりも警報音鳴動停止中の点滅周期の方が長いものとして説明した。しかし、必ずしもこれらの条件をすべて組み合わせる必要はなく、いずれかの条件のみ用いてもよい。
【００５３】
なお、上記説明では、電池で駆動される火災警報器に本発明を適用した場合を例に説明したが、電源の供給方法はこれに限定されるものではない。また、上記説明では、煙検知部と熱検知部とを有する火災警報器を例に説明したが、熱検知部と煙検知部のいずれか一方を有する火災警報器や、ガス漏れなどその他の監視領域の異常を検出する警報器に本発明を適用することもできる。
【符号の説明】
【００５４】
１  電池、３  点検スイッチ、４  警報音停止スイッチ、１０  集積回路、１１  制御部、１２  定電圧回路、１３  リセット部、１４  発振部、１５  電圧検出回路、４０  熱検知部、４１  固定抵抗、４２  サーミスタ、５０  煙検知部、５１  赤外ＬＥＤドライブ回路、５２  フォトダイオード電流電圧変換回路、５３  受光アンプ、５４  赤外ＬＥＤ、６０  警報音制御回路、６１  音声用Ｄ／Ａ変換器、６２  音声アンプ、６３  スピーカ、７０  表示灯回路、７１  確認灯ドライブ回路、７２  表示灯、１００  火災警報器、１１１  演算部、１１２  ＲＯＭ、１１３  ＲＡＭ、１１４  タイマ部、１１５  Ａ／Ｄ変換器、１１６  メインクロック発振部、１１７  サブクロック発振部、１１８  インターフェース部。
【図１】
2011175416.tif 000003
【図２】
2011175416.tif 000004
【図３】
2011175416.tif 000005